(57)【要約】【課題】電線の径が異なっていても一定の圧力で圧接することができる圧接端子を提供する。【解決手段】本圧接端子１は、電線３を圧接するスロット１１１を具備する圧接部１１と、圧接部から延伸して形成されている端子部１２とを備え、前記スロットは、その開口端部側から底部側まで順次設けられ、且つスロットの開口幅が前記順で段階的に狭くなるように形成されている複数対の壁部１３、１４、１５を具備することを特徴とする。また、壁部は、支持延出部を除く各前記壁部は、面取りされている。このような圧接端子は、径が異なる電線が対応する壁部と圧接し、且つ支持延出部及びスロットの底部に支持されるため、電線の径が異なっていても一定の圧力で圧接することができ、圧接時等にスロットによって芯線を傷つけることがない。【選択図】図２
2011204399.tif 000002
【特許請求の範囲】
【請求項１】
電線を圧接するスロットを具備する圧接部と、該圧接部から延伸して形成されている端子部とを備える圧接端子において、
前記スロットは、その開口端部側から底部側まで順次設けられ、且つ該スロットの開口幅が前記順で段階的に狭くなるように形成されている複数対の壁部を具備することを特徴とする圧接端子。
【請求項２】
各前記壁部は、圧接される電線を支持するための凹形状の支持延出部が、該壁部の次の前記壁部の開口部側上部に形成されている請求項１記載の圧接端子。
【請求項３】
前記支持延出部の先端側は、前記開口端部側に向けて鋭利になるように形成されている請求項２記載の圧接端子。
【請求項４】
前記支持延出部を除く各前記壁部は、面取りされている請求項２又は３記載の圧接端子。
【発明の詳細な説明】
【技術分野】
【０００１】
本発明は、様々な径の電線を圧接することができる圧接端子に関する。更に詳しくは、電線の径が異なっていても一定の圧力で圧接することができる圧接端子に関する。
【背景技術】
【０００２】
従来より、被覆電線等を略Ｕ字形状のスロットに挿入することで、電線の被覆が破断され、圧接することができる圧接端子が知られている。このような圧接端子は、電線の太さに対応した開口幅を備えたスロットを用意する必要があるため、複数の太さの電線を任意に選択して圧接することはできなかった。
また、複数の太さの電線を任意に選択して圧接することができる圧接端子として、例えば幅が異なるスロットを電線の軸方向に複数備えた圧接端子が提案されている（特許文献１を参照。）。このような圧接端子は、径の細い電線であれば、対応する幅狭のスロットを用いて圧接することができる。更に、径の太い電線であれば、幅狭用のスロットを拡げ、更に対応する幅広用のスロットで圧接することができる。
また、複数の太さの電線を１又は２以上固定するために、スロットの深さ方向に間隔を空けて備えた可撓性の壁体により電線を挟持するクランプが提案されている（特許文献２を参照。）。このようなクランプは、電線を対向する壁体により挟持したり、上下の壁体間に挟持したりすることによって挟持することができる。
【先行技術文献】
【特許文献】
【０００３】
【特許文献１】特開平１１−２７３７６１号公報
【特許文献２】実開昭６３−１７９７１７号公報
【発明の概要】
【発明が解決しようとする課題】
【０００４】
しかし、特許文献１に示すような圧接端子は、径の太い電線を圧接するときには、径の細い電線を挟持するためのスロット部分が拡がるため、圧接端子の該当する壁部の一部が膨れるように変形するという問題がある。また、径の太い電線を圧接する場合は、径の細い電線を挟持するためのスロットを、電線によって圧接時の圧力以上に力を加えて拡げるために、この部分で電線が傷つきやすくなるという問題がある。
更に、特許文献２に示すようなクランプは、様々な径の電線の挟持ができるが、電線の伝導体と適切な圧力で接触して導電性が一定に保たれることが考慮されていない。また、電線の被覆を剥がすことが考慮されていない。
本発明は、前記現状に鑑みてなされたものであり、電線の径が異なっていても一定の圧力で圧接することができる圧接端子を提供することを目的とする。
【課題を解決するための手段】
【０００５】
本発明は、以下の通りである。
１．電線を圧接するスロットを具備する圧接部と、該圧接部から延伸して形成されている端子部とを備える圧接端子において、前記スロットは、その開口端部側から底部側まで順次設けられ、且つ該スロットの開口幅が前記順で段階的に狭くなるように形成されている複数対の壁部を具備することを特徴とする圧接端子。
２．各前記壁部は、圧接される電線を支持するための凹形状の支持延出部が、該壁部の次の前記壁部の開口部側上部に形成されている上記１．記載の圧接端子。
３．前記支持延出部の先端側は、前記開口端部側に向けて鋭利になるように形成されている上記２．記載の圧接端子。
４．前記支持延出部を除く各前記壁部は、面取りされている上記２．又は上記３．記載の圧接端子。
【発明の効果】
【０００６】
本発明の圧接端子によれば、いくつかの太さの電線を対応する間隔の壁部で圧接することにより、圧接端子の使用時に圧接部が外側に拡がることがないため、コネクタのハウジング等の大きさに支障が出ることがなく、また圧接の圧力が径が異なっても適切になるように圧接することができる。更に、圧接時等にスロットによって芯線を傷つけることがない。
支持延出部が形成されている場合は、圧接されている電線が支持延出部によって支持されるため、圧接時及び使用時にスロットのより奥側に電線が無理に押し込められることによって、圧接の状態が不適切になったり、電線の芯線が損傷したりすることを防止することができる。
支持延出部の先端側が鋭端になるように形成されている場合は、より上の壁部の開口幅が広いために、電線の被覆が残っていても、支持延出部の先端が電線の被覆に刺さって被覆をはぎ取るため、被覆が残ることなく適切な圧接をすることができる。
支持延出部を除く各壁部が面取りされている場合は、壁部がより鋭利になって被覆を破断しやすくすることができ、且つ支持延出部の幅をより広くすることにより電線をより確実に支持することができる。
【図面の簡単な説明】
【０００７】
【図１】本実施例に係る圧接端子をコネクタのハウジングに配設した状態を示す断面図である。
【図２】本実施例に係る圧接端子の模式斜視図である。
【図３】本実施例に係る圧接端子の平面図である。
【図４】本実施例に係る圧接端子の正面図である。
【図５】圧接端子の支持延出部を詳細に説明するための部分拡大図である。
【発明を実施するための形態】
【０００８】
以下、図１〜５を参照しながら本発明の圧接端子を詳しく説明する。
ここで示される事項は例示的なもの及び本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【０００９】
本発明に係る圧接端子は、コネクタのハウジング等に配設されて、コネクタ等と電線とを圧接により電気的に接続するための端子であり、電線を圧接するスロットを具備する圧接部と、圧接部から延伸して形成されている端子部とを備える。また、スロットは、その開口端部側から底部側まで順次設けられ、且つスロットの開口幅が前記順で段階的に狭くなるように形成されている複数対の壁部を具備することを特徴とする。
圧接部及び端子部の材質及び形状は、従来の圧接端子と同様であって任意に選択することができる。更に、端子部は、例えばスロットの根本側の圧接部からスロットの深さ方向に延設されていてもよいし、スロットの壁側から延設されていてもよい。
【００１０】
また、各対の上記「壁部」が「開口端部側から底部側まで順次設けられ、且つスロットの開口幅が前記順で段階的に狭くなるように形成されている」とは、例えば図１に例示するように、スロット１１１の側壁をその深さ方向に２以上の任意の数で区分され、各区分されている対向する一対の側壁の対向する間隔である開口幅Ｗが、開口端部側１１１ａから底部側１１１ｂの順に短くなることをいう。このように段階的に開口幅Ｗが狭くなるようにスロット１１１の壁部１３、１４、１５等を形成することにより、開口幅Ｗと略同じ直径の芯線が、スロットの根本、又はより奥の段の壁部（例えば壁部１３で圧接するなら壁部１４）の上端である「支持延出部」により支えられた状態で圧接することができるため、スロットのより奥に電線が無理に押し込められて圧接の状態が不適切になったり、電線の芯線が損傷したりすることを防止することができる。
また、開口幅を変えるには、スロットの側壁を開口端部側から底部側の順で段階的に突出するようにすればよく、スロットの側壁の両側を突出させてもよいし、片方側のみを突出させても良い。
【００１１】
上記「支持延出部」は、該当する壁部の開口幅と略同じ直径の芯線が、より開口幅が狭いスロットの奥側に押し込まれることにより、圧接の圧力が強くなりすぎたり、圧接部が拡がるように変形したり、芯線が傷ついたりしないように支持する支えである。
このような支持延出部は、電線の芯線部分を支持することができれば良く、例えば、直線状や湾曲状に形成することができる。また、凹形状の湾曲面とすることができる。この凹形状は、例えば図４及び５に示すように、電線３ａ、３ｂを圧接する壁部１３、１４の一段奥側の壁部１４、１５の上側の面が、凹状に湾曲している湾曲面１３１、１４１であれば良く、電線の表面に密着できるように湾曲した面であっても良いし、図５に例示するように電線と間に隙間があっても良い。
更に、支持延出部の先端は、例えば図５の支持延出部１３１、１４１の先端１３２、１４２に示すように、開口端部側１１１ａに向けて鋭利になるように形成することができる。これにより、電線をより奥側の壁部（支持延出部１３１においては壁部１４）に押し込むとき、電線の被覆に先端１３２が刺さることによって、被覆をより容易にはぎ取ることができる。
【００１２】
上記「面取り」は、電線の被覆を破断しやすくするために壁部の接触面（図２に例示する接触面１３３、１４３、１５３）を鋭端にするためのものであり、被覆の破断のしやすさや電線との接触面積等に応じて任意の量を選択することができる。また、壁部の全てを面取りすることなく、支持延出部を除去することが好ましい。電線をより広範囲で支持することができるからである。
【実施例】
【００１３】
以下、図面を用いて実施例により本発明を具体的に説明する。
本実施例に係る圧着端子１は、図１に示すように、コネクタのハウジング２内に２以上配列され、３種類の径のうち、１種の電線３を圧接することができる圧着端子であって、図１及び２に示すように、電線３を圧接するためのスロット１１１を具備する圧接部１１と、圧接部１１の根本側から下方に延出するように形成されている端子部１２とを備えている。また、スロット１１１は図２及び４に示すように、その壁面が３対の壁部１３、１４、１５に区分されており、開口端部側１１１ａの壁部１３から底部側１１１ｂの壁部１５の順に開口幅Ｗが、図３に示す開口幅Ｗ１、Ｗ２、Ｗ３の順に狭くなるように形成されている。更に、開口幅Ｗ１、Ｗ２、Ｗ３は任意に選択することができ、本実施例では壁部１３、１４、１５における開口幅Ｗ１、Ｗ２、Ｗ３が順に０．６ｍｍ、０．５ｍｍ、０．４ｍｍとしている。これにより、芯径が０．６ｍｍ、０．５ｍｍ、０．４ｍｍの３種類の電線３ａ、３ｂ、３ｃを圧接することができる。
【００１４】
また、図２、４及び５に示すように壁部１４、１５の上側は凹形状に湾曲した支持延出部１３１、１４１が形成されている。更に、図５に示すように、支持延出部１３１、１４１の先端１３２、１４２は、開口端部側１１１ａに向いており、電線３ｂ、３ｃの被覆がはぎ取りやすいように鋭利になっている。
また、壁部１３、１４、１５は、支持延出部１３１、１４１を除いて面取りがされており、図３に示すように壁部と電線とが接触する接触面１３３、１４３、１５３の幅Ｄａは、圧接部１１の厚みＤｂよりも短くなっている。
【００１５】
このような圧接端子１は、図２に示すように径が異なる電線３ａ、３ｂ、３ｃのいずれか１本を壁部１３、１４、１５で圧接し、その接触面１３３、１４３、１５３で導通することができる。
例えば、電線３ａを圧接端子１のスロット１１１に挿入すると、電線３ａの被覆が壁部１３により破断し、芯線の表面が露出する。また、壁部１４の開口幅Ｗ２は芯線の直径よりも短いため、電線３ａの芯線は壁部１４上部の支持延出部１３１に接触して、それ以上のスロット１１１への挿入が止められる。このとき、電線３ａの芯線の表面は接触面１３３と接触し、圧接された状態で導通する。
【００１６】
更に、電線３ｂを圧接端子１のスロット１１１に挿入すると、電線３ｂの被覆が壁部１４により破断し、芯線の表面が露出する。このとき、始めに電線３ｂの被覆に支持延出部１３１の先端１３２が食い込み、そのまま破断する。また、壁部１５の開口幅Ｗ３は芯線の直径よりも短いため、電線３ｂの芯線は壁部１５上部の支持延出部１４１に接触して、それ以上のスロット１１１への挿入が止められる。そして、電線３ｂの芯線の表面は接触面１４３と接触し、圧接された状態で導通する。
【００１７】
更に、電線３ｃを圧接端子１のスロット１１１に挿入すると、電線３ｃの被覆が壁部１５により破断し、芯線の表面が露出する。このとき、始めに電線３ｃの被覆に支持延出部１４１の先端１４２が食い込み、そのまま破断する。また、電線３ｂの芯線はスロット１１１の底部に接触するまで挿入することができ、その表面が接触面１５３と接触し、圧接された状態で導通する。
【００１８】
前記の通り、径が異なる電線３ａ、３ｂ、３ｃは、それぞれ壁部１３、１４、１５と圧接し、且つ支持延出部１３１、１４１及びスロット１１１の底部に支持される。このため、電線の径が異なっていても一定の圧力で圧接することができ、圧接時等にスロット１１１によって電線の芯線を傷つけることがない。
また、圧接端子１の厚み（図２におけるＤｂ）を厚くして、支持延出部１３１、１４１の幅（図２におけるＤａ）を増やしても、壁部１３、１４、１５が面取りされているため、電線３ａ、３ｂ、３ｃの被覆を容易に破断することができる。このため、電線３ａ、３ｂ、３ｃと確実に圧接可能とし、且つ幅が広い支持延出部１３１、１４１により電線３ａ、３ｂをより確実に支持することができる。
【００１９】
尚、本発明においては、前記実施例に限られず、目的、用途に応じて本発明の範囲内で種々変更した実施例とすることができる。即ち、前記実施例では、この壁部の対の数は実施例では３としたが、２以上であれば特に問わない。また、実施例では図１に示すように各圧接端子１にそれぞれ同じ径の電線３を１つずつ圧接しているがこれに限られず、各圧接端子１にそれぞれ異なる径の電線３を圧接しても良い。
【符号の説明】
【００２０】
１；圧着端子、１１；圧接部、１１１；スロット、１２；端子部、１３、１４、１５；壁部、１３１、１４１；支持延出部、１３２、１４２；先端、２；ハウジング、３；電線。
【図１】
2011204399.tif 000003
【図２】
2011204399.tif 000004
【図３】
2011204399.tif 000005
【図４】
2011204399.tif 000006
【図５】
2011204399.tif 000007